(57)【要約】  【課題】    比較的幅が狭く長尺に形成された巾木やトリム材、見切り材、絨毯等の建材を壁面や床面或いは天井などに接着する場合に、接着剤をはみ出すことなく且つむらなく均等にそして連続的に簡便に塗布することが出来る接着剤塗布具を提供すること。  【解決手段】  可撓性を有し手Ａで把持しえる大きさに形成された接着剤収容容器１と、該収容容器の開口部１１に取り付けられるキャップ２とで構成され、上記キャップ２の頭部２１に複数個の接着剤吐出ノズル２２を一直線上に配列形成してなる。  【選択図】    図１
0003106430.tif 000002
【実用新案登録請求の範囲】
【請求項１】
可撓性を有し手で把持しえる大きさに形成された接着剤収容容器と、該収容容器の開口部に取り付けられるキャップとで構成され、上記キャップの頭部に複数個の接着剤吐出ノズルを一直線上に配列形成してなることを特徴とする接着剤塗布具。
【請求項２】
前記各接着剤吐出ノズルを略扁平状に形成し、互いに扁平面を向き合わせて一直線上に配列形成すると共に、扁平状に形成された接着剤吐出ノズルにおける接着剤吐出口の両脇に扁平面に沿ってはみ出し規制片を延設してなる請求項１記載の接着剤塗布具。
【請求項３】
前記キャップに対して前記接着剤吐出ノズルを着脱自在に設けてなる請求項１又は２に記載の接着剤塗布具。
【請求項４】
前記各接着剤吐出ノズルの接着剤吐出口に適合して挿入するように形成された目詰り防止用栓を、前記各接着剤吐出ノズルの接着剤吐出口に差し込み着脱自在に設けてなる請求項１〜３のいずれか１項に記載の接着剤塗布具。
【考案の詳細な説明】
【技術分野】
【０００１】
本考案は、接着剤塗布具に関し、更に詳しくは、比較的幅が狭く長尺に形成された巾木やトリム材、見切り材、絨毯等の建材を壁面や床面或いは天井等に接着する際に用いると好適な接着剤塗布具に関するものである。
【背景技術】
【０００２】
例えば巾木を壁面に接着する場合、従来では刷毛や櫛目こてを用いて巾木の裏面及び／又は壁面に接着剤を塗布していた。そのために、接着剤の塗布むらが生じやすいだけでなく、比較的幅が狭く長尺に形成された巾木やトリム材、見切り材等を接着する場合に、接着剤がはみ出やすく、はみ出した接着剤を除去する手間がかかることがあった。
尚、本願出願人が知っている上記の先行技術は、文献公知考案に係るものではないため、本願明細書には先行技術文献情報を開示しない。
【考案の開示】
【考案が解決しようとする課題】
【０００３】
本考案はこのような現状に鑑みてなされたものであり、比較的幅が狭く長尺に形成された巾木やトリム材、見切り材、絨毯等の建材を壁面や床面或いは天井などに接着する場合に、接着剤をはみ出すことなく且つむらなく均等にそして連続的にしかも簡便に塗布することが出来る接着剤塗布具を提供せんとするものである。
【課題を解決するための手段】
【０００４】
斯かる目的を達成する本考案の接着剤塗布具は、可撓性を有し手で把持しえる大きさに形成された接着剤収容容器と、該収容容器の開口部に取り付けられるキャップとで構成され、上記キャップの頭部に複数個の接着剤吐出ノズルを一直線上に配列形成してなることを特徴としたものである。
この際、前記各接着剤吐出ノズルを略扁平状に形成し、互いに扁平面を向き合わせて一直線上に配列形成すると共に、扁平状に形成された接着剤吐出ノズルにおける接着剤吐出口の両脇に扁平面に沿ってはみ出し規制片を延設することが好ましい。
また、前記キャップに対して前記接着剤吐出ノズルを着脱自在に設けるようにしても良い。
更に、前記各接着剤吐出ノズルの接着剤吐出口に適合して挿入するように形成された目詰り防止用栓を、前記各接着剤吐出ノズルの接着剤吐出口に差し込み着脱自在に設けることが好ましい。
【考案の効果】
【０００５】
本考案に係る接着剤塗布具は斯様に、可撓性を有し手で把持しえる大きさに形成された接着剤収容容器と、該収容容器の開口部に取り付けられるキャップとで構成され、上記キャップの頭部に複数個の接着剤吐出ノズルを一直線上に配列形成してなるので、接着剤収容容器を手で持って接着剤収容容器を加圧することにより容器内の接着剤が複数個の接着剤吐出ノズルから連続して定量吐出されるようになる。
従って、接着剤を塗布する対象面に対して接着剤を、一直線上に配列形成された複数個の接着剤吐出ノズルの幅に沿ってはみ出すことなく、且つ全面にわたってむらなく均等な厚みに、しかも連続的に簡便に塗布することが出来る。
この際、接着剤収容容器に対してキャップを、螺合締結等の手段により着脱自在に形成すれば、キャップを外して接着剤を接着剤収容容器に詰め替え、繰り返して使用することができる。
【０００６】
また、特に本考案の請求項２に記載の接着剤塗布具によれば、前記各接着剤吐出ノズルを略扁平状に形成し、互いに扁平面を向き合わせて一直線上に配列形成すると共に、扁平状に形成された接着剤吐出ノズルにおける接着剤吐出口の両脇に扁平面に沿ってはみ出し規制片を延設してなるので、一直線上に配列形成された接着剤吐出ノズルの配列方向とは直交する方向に移動させながら接着剤吐出口から接着剤を吐出させることにより、接着剤吐出口から吐出された接着剤がはみ出し規制片でもって幅方向にはみ出るのを規制され、よって接着剤を塗布する対象面に対して接着剤を複数個の接着剤吐出ノズルの幅に沿ってはみ出すことなく簡便に塗布することが出来るようになる。
【０００７】
更に、本考案の請求項３に記載の接着剤塗布具によれば、前記キャップに対して接着剤吐出ノズルを着脱自在に設けてなるので、幅の異なる何種類かの接着剤吐出ノズルを用意しておけば、接着剤を塗布する幅に応じて接着剤吐出ノズルを交換するだけで各種の接着剤塗布幅に対応することが可能となる。
【０００８】
更に、本考案の請求項４に記載の接着剤塗布具によれば、前記各接着剤吐出ノズルの接着剤吐出口に適合して挿入するように形成された目詰り防止用栓を、各接着剤吐出ノズルの接着剤吐出口に差し込み着脱自在に設けてなるので、接着剤収容容器の内部に残っている接着剤の乾燥を長期にわたって防止し得る共に、各接着剤吐出ノズルの接着剤吐出口の目詰まりを防止することが出来るようになる。
【考案を実施するための最良の形態】
【０００９】
以下、本考案の具体的な好適実施例を図面を参照しながら詳細に説明するが、本考案は図示実施例のものに限定されるものではない。
【００１０】
本考案に係る接着剤塗布具は、所要量の接着剤を収容しておくための接着剤収容容器１と、接着剤収容容器１の開口部１１に取り付けられて接着剤収容容器１内に収容された接着剤を吐出するキャップ２とで構成される。
【００１１】
接着剤収容容器１は、塩化ビニル樹脂やポリプロピレン樹脂、ポリエチレン樹脂等の収容する接着剤に侵されることのない柔軟性を有するプラスチック材料を用いて、手Ａで圧搾したら変形する程度の可撓性を有し且つ手Ａで把持しえる大きさの略円筒形をした瓶形状に形成され、その開口部１１に別成形されたキャップ２が一体的または着脱自在に取り付けられる。
この際、接着剤収容容器１の大きさ、すなわち接着剤の収容容量としては、特に制限はないが、作業者が当該接着剤収容容器１を手に持って塗布作業することを考えれば１００〜１０００ｍｌの範囲が好ましい。
【００１２】
キャップ２は、接着剤収容容器１と同様のプラスチック材料を用いて、接着剤収容容器１の開口部１１に直接取り付けられる頭部２１と、その頭部２１に複数個の接着剤吐出ノズル２２を一直線上に配列形成して構成される。
キャップ２を接着剤収容容器１の開口部１１に取り付ける場合、図示実施例のごとく、頭部２１の内周に雌ネジ２３を形成して接着剤収容容器１の開口部１１に着脱自在に螺着することが好ましい。
【００１３】
複数個の接着剤吐出ノズル２２は、キャップ２の頭部２１に一直線上に適宜間隔をおいて配列形成され、その数は目的とする接着剤の塗布幅に応じて任意に決定される。
この際、各接着剤吐出ノズル２２はキャップ２の頭部２１に対して一体的に形成されていても良いし、図示実施例のごとく抜き差し着脱自在に形成さていても良い。
【００１４】
また、各接着剤吐出ノズル２２は、単なる円筒形状に形成するよりも、図示実施例のごとく略扁平状に形成し、互いに扁平面を向き合わせて櫛歯のように適宜間隔をおいて一直線上に配列形成することが好ましい。
そして更に、扁平状に形成された接着剤吐出ノズル２２における接着剤吐出口２４の両脇に、扁平面に沿ってはみ出し規制片２５を延設することが好ましい。すると、はみ出し規制片２５は、接着剤吐出口２４の両脇に接着剤吐出口２４分の間隔をおいて相対峙した状態に突出形成され、その結果、接着剤吐出口２４から吐出された接着剤Ｂは両脇のはみ出し規制片２５に誘導されるようになる。
【００１５】
また、図３に示すように、接着剤吐出ノズル２２は、その内面形状が接着剤吐出口２４に向かって先細りとなるように形成することが好ましい。そうすれば、接着剤吐出ノズル２２を適宜の位置（例えば、図面のＬ1，Ｌ2で示す線）で切断することにより、接着剤の粘度に合わせて接着剤吐出口２４の口径を調整することが可能となる。
【００１６】
また、各接着剤吐出ノズル２２の接着剤吐出口２４には、接着剤収容容器１内部の接着剤Ｂが乾燥したり接着剤吐出口２４が接着剤で目詰まりしないように、目詰り防止用栓３を差し込み着脱自在に設けることが好ましい。
【００１７】
目詰り防止用栓３は、接着剤吐出口２４の内径に適合した太さを有する金属線材を用いて、適当な長さに形成してなる。この際、目詰り防止用栓３を、複数個の接着剤吐出ノズル２２に対して１個当て形成しても良いし、図示実施例のごとく、１本の金属線材を半分に折り曲げて１つの目詰り防止用栓３でもって２個の接着剤吐出ノズル２２を同時に栓できるように形成しても良い。その他に、例えばプラスチック材料を用いて、複数個の接着剤吐出ノズル２２に対応させて複数本の目詰り防止用栓３を櫛歯のように一体に形成しても良い。
【図面の簡単な説明】
【００１８】
【図１】本考案実施の一例を示す塗布状態の断面図。
【図２】本考案実施の一例を示す一部切欠斜視図。
【図３】(ａ)（ｂ）は本考案に係る接着剤吐出ノズルの他の実施例を示す断面図。
【符号の説明】
【００１９】
１：接着剤収容容器          １１：開口部
２：キャップ                ２１：頭部
２２：接着剤吐出ノズル      ２３：雌ネジ
２４：接着剤吐出口          ２５：はみ出し規制片
３：目詰り防止用栓
Ａ：手                      Ｂ：接着剤
【図１】
0003106430.tif 000003
【図２】
0003106430.tif 000004
【図３】
0003106430.tif 000005